(57)【特許請求の範囲】
【請求項１】
複数の物体にそれぞれ設置された複数のデータキャリアのうち、電波の送受信が可能なものを認識する読取装置であって、
前記複数のデータキャリアのうち、所定エリアに設置されたデータキャリアを特定する特定手段と、
前記特定手段により特定されるデータキャリアを認識している場合に他のデータキャリアを認識した場合、該データキャリアを示すデータキャリア識別情報を、その認識された時刻とともに記憶する外出データキャリア識別情報仮記憶手段と、
前記特定手段により特定されるデータキャリアが認識されなくなった場合に、前記外出データキャリア識別情報仮記憶手段により記憶される時刻に基づいて、前記外出データキャリア識別情報仮記憶手段により記憶されるデータキャリア識別情報のうち、前記読取装置のユーザが前記所定エリア外に出たときにも認識される外出データキャリア識別情報を決定する外出データキャリア識別情報決定手段と、
を含むことを特徴とする読取装置。
【請求項２】
請求項１に記載の読取装置において、
当該読取装置は、
前記特定手段により特定されるデータキャリアが認識されなくなったときの時刻を取得する時刻取得手段、
をさらに含み、
前記外出データキャリア識別情報決定手段は、前記外出データキャリア識別情報仮記憶手段により記憶される外出データキャリア識別情報のうち、前記時刻取得手段により取得される時刻と、前記外出データキャリア識別情報仮記憶手段により記憶される時刻と、の差が所定値以下であるものを、前記ユーザが前記所定エリア外に出たときにも認識される外出データキャリア識別情報と決定する、
ことを特徴とする読取装置。
【請求項３】
請求項２に記載の読取装置において、
当該読取装置は、
前記所定値を、前記特定手段により特定されるデータキャリアごとに記憶する記憶手段、
をさらに含み、
前記外出データキャリア識別情報決定手段は、前記外出データキャリア識別情報仮記憶手段により記憶される外出データキャリア識別情報のうち、前記時刻取得手段により取得される時刻と、前記外出データキャリア識別情報仮記憶手段により記憶される時刻と、の差が、前記特定手段により特定されるデータキャリアのうち現に認識していたデータキャリアについて記憶される所定値以下である外出データキャリア識別情報を、前記ユーザが前記所定エリア外に出たときにも認識される外出データキャリア識別情報と決定する、
ことを特徴とする読取装置。
【請求項４】
ユーザが所定エリア外に出たときに認識されるデータキャリアを決定するための外出データキャリア決定方法であって、
複数の物体にそれぞれ設置された複数のデータキャリアのうち、電波の送受信が可能なものを認識する読取装置を使用し、
前記複数のデータキャリアのうち、前記所定エリアに設置されたデータキャリアを特定する特定ステップと、
前記特定ステップにおいて特定されるデータキャリアを認識している場合に他のデータキャリアを認識した場合、該データキャリアを示すデータキャリア識別情報を、その認識された時刻とともに記憶する外出データキャリア識別情報仮記憶ステップと、
前記特定ステップにおいて特定されるデータキャリアが認識されなくなった場合に、前記外出データキャリア識別情報仮記憶ステップにおいて記憶される時刻に基づいて、前記外出データキャリア識別情報仮記憶ステップにおいて記憶される外出データキャリア識別情報のうち、前記ユーザが前記所定エリア外に出たときにも認識される外出データキャリア識別情報を決定する外出データキャリア識別情報決定ステップと、
を含むことを特徴とする外出データキャリア決定方法。
【発明の詳細な説明】
【技術分野】
【０００１】
本発明は読取装置及び外出データキャリア決定方法に関する。
【背景技術】
【０００２】
一定量のデータを記憶することができるデータキャリア（例えば、ＲＦＩＤ（Radio Frequency Identification））を物体に取り付け、読取装置が該データキャリアの識別情報を読み取ることにより、物体の識別その他のサービスを提供することができるようにしたデータキャリアシステムが知られている。
【０００３】
データキャリアシステムにより提供されるサービスのひとつに、データキャリアの設置される位置を利用したナビゲーションサービスがある（例えば特許文献１）。以下、このナビゲーションサービスの例について説明する。
【０００４】
初めに、貼り付けられた場所を示す場所情報を記憶しているデータキャリアを街中のそこここ（バス停や店先など）に貼り付けておく。ユーザが読取装置（例えば、データキャリア読取機能付き携帯電話）を持って街中を歩くと、読取装置は、電波の届く範囲にあるデータキャリアから上記場所情報を取得する。
【０００５】
場所情報を取得した読取装置は、取得した場所情報により示される場所に応じた提供情報（バス接近情報やセール品情報など）を取得する。具体的には、予め読取装置に記憶されているものを取得することや都度ネット接続して取得することが考えられる。このようにして、読取装置はデータキャリアの貼り付けられた場所に応じた提供情報を取得し、取得した提供情報をユーザに対して提供する。
【特許文献１】特開２００４−２０６５９０号公報（第０００４段落）
【発明の開示】
【発明が解決しようとする課題】
【０００６】
ところで、上記提供情報は、主として外出時にユーザが必要とするものである。しかしながら、上記従来の技術では、読取装置はユーザが外出しようとすることを認識することができず、ユーザが実際に外出し、提供情報が必要な場所に到達してから、その場所についての提供情報を取得しているので、ユーザが提供情報の提供を受けたいときにはまだ提供情報の取得中であるという場合があった。
【０００７】
これに対し、ユーザのホームスペース（家や職場など）にデータキャリアを設置し、該データキャリアが認識されなくなった時点で、ユーザが外出したと認識する方法も考えられるが、この方法によっても、実際に外出してからでないと外出を認識できないという問題があった。
【０００８】
従って、本発明の課題の一つは、これからユーザがホームスペースなどの所定エリアから外に出ようとすることを認識することができる読取装置及び外出データキャリア決定方法を提供することにある。
【課題を解決するための手段】
【０００９】
上記課題を解決するための本発明に係る読取装置は、複数の物体にそれぞれ設置された複数のデータキャリアのうち、電波の送受信が可能なものを認識する読取装置であって、前記複数のデータキャリアのうち、所定エリアに設置されたデータキャリアを特定する特定手段と、前記特定手段により特定されるデータキャリアを認識している場合に他のデータキャリアを認識した場合、該データキャリアを示すデータキャリア識別情報を、その認識された時刻とともに記憶する外出データキャリア識別情報仮記憶手段と、前記特定手段により特定されるデータキャリアが認識されなくなった場合に、前記外出データキャリア識別情報仮記憶手段により記憶される時刻に基づいて、前記外出データキャリア識別情報仮記憶手段により記憶されるデータキャリア識別情報のうち、前記読取装置のユーザが前記所定エリア外に出たときにも認識される外出データキャリア識別情報を決定する外出データキャリア識別情報決定手段と、を含むことを特徴とする。
【００１０】
所定エリアから外に出るとき必ず身に着けるが、所定エリアではその物を身に着けない、という物がある。例えば、日本人は家の中で靴を履くことはないが、外出先ではほとんどの割合で履く。このような物は、外出の直前に身に着けられるものである。上記読取装置によれば、外出の直前に身に着けられたデータキャリアを判別することにより、上記靴のような外出の直前に身に着けられる物に取り付けられたデータキャリアを判別することができ、以降、読取装置は、このデータキャリアを媒介として、これからユーザがホームスペースなどの所定エリアから外に出ようとすることを認識することができるようになる。
【００１１】
また、上記読取装置において、当該読取装置は、前記特定手段により特定されるデータキャリアが認識されなくなったときの時刻を取得する時刻取得手段、をさらに含み、前記外出データキャリア識別情報決定手段は、前記外出データキャリア識別情報仮記憶手段により記憶される外出データキャリア識別情報のうち、前記時刻取得手段により取得される時刻と、前記外出データキャリア識別情報仮記憶手段により記憶される時刻と、の差が所定値以下であるものを、前記ユーザが前記所定エリア外に出たときにも認識される外出データキャリア識別情報と決定する、こととしてもよい。
【００１２】
これによれば、読取装置は、外出前にデータキャリアを身に着けた時刻と、実際に外出した時刻と、を比較し、その差が所定値以下である場合に、外出の直前に身に着けられたデータキャリアであると判断することができる。
【００１３】
また、この読取装置において、当該読取装置は、前記所定値を、前記特定手段により特定されるデータキャリアごとに記憶する記憶手段、をさらに含み、前記外出データキャリア識別情報決定手段は、前記外出データキャリア識別情報仮記憶手段により記憶される外出データキャリア識別情報のうち、前記時刻取得手段により取得される時刻と、前記外出データキャリア識別情報仮記憶手段により記憶される時刻と、の差が、前記特定手段により特定されるデータキャリアのうち現に認識していたデータキャリアについて記憶される所定値以下である外出データキャリア識別情報を、前記ユーザが前記所定エリア外に出たときにも認識される外出データキャリア識別情報と決定する、こととしてもよい。
【００１４】
これによれば、読取装置は、ホームスペースごとに所定値（上記「外出の直前」に関し、その「直前」の程度）を変更することができるので、ホームスペースごとの事情に鑑みた適切な外出データキャリア識別情報の決定ができるようになる。
【００１５】
また、本発明に係る外出データキャリア決定方法は、ユーザが所定エリア外に出たときに認識されるデータキャリアを決定するための外出データキャリア決定方法であって、複数の物体にそれぞれ設置された複数のデータキャリアのうち、電波の送受信が可能なものを認識する読取装置を使用し、前記複数のデータキャリアのうち、前記所定エリアに設置されたデータキャリアを特定する特定ステップと、前記特定ステップにおいて特定されるデータキャリアを認識している場合に他のデータキャリアを認識した場合、該データキャリアを示すデータキャリア識別情報を、その認識された時刻とともに記憶する外出データキャリア識別情報仮記憶ステップと、前記特定ステップにおいて特定されるデータキャリアが認識されなくなった場合に、前記外出データキャリア識別情報仮記憶ステップにおいて記憶される時刻に基づいて、前記外出データキャリア識別情報仮記憶ステップにおいて記憶される外出データキャリア識別情報のうち、前記ユーザが前記所定エリア外に出たときにも認識される外出データキャリア識別情報を決定する外出データキャリア識別情報決定ステップと、を含むことを特徴とする。
【発明を実施するための最良の形態】
【００１６】
本発明の実施の形態について、図面を参照しながら説明する。
【００１７】
図１は本実施の形態に係るＲＦＩＤシステム１０のシステム構成図である。同図に示すように、ＲＦＩＤシステム１０は複数のＲＦＩＤ２０と、ＲＦＩＤリーダ３０と、サーバ装置４０と、を含んで構成されている。
【００１８】
ＲＦＩＤ２０は、データを記憶することができるデータキャリアとして機能する装置であり、移動する物体や固定される物体に取り付けられる。また、ＲＦＩＤ２０はＲＦＩＤリーダ３０によって、非接触でその記憶しているデータ（記憶データ）を読み取られることができるように構成されている。より具体的には、ＲＦＩＤリーダ３０の発する電磁場を、記憶しているデータに応じて変調することにより読み取られるように構成してもよい（パッシブ型、セミパッシブ型）し、ＲＦＩＤリーダ３０の発する電波が受信された場合に、記憶しているデータに応じた電波を送信することにより読み取られるように構成してもよい（アクティブ型）。
【００１９】
また、各ＲＦＩＤ２０には複数のＲＦＩＤ２０の中から該ＲＦＩＤ２０を一意に識別可能な識別情報（ＲＦＩＤ識別情報）が付与されており、各ＲＦＩＤ２０は自身に付与された識別情報を上記記憶データの一部として記憶している。
【００２０】
ＲＦＩＤリーダ３０は、例えば携帯電話に設けられたものであり、ＲＦＩＤ２０に記憶されるデータを読み取ることができるよう構成される。具体的には、ＲＦＩＤ２０に対して読み取り用信号を送信し、該読み取り用信号に対して返送されるデータ信号を受信する。このデータ信号はＲＦＩＤ２０が記憶しているデータを含んでおり、ＲＦＩＤリーダ３０は、該データ信号からＲＦＩＤ２０に記憶されるデータを取得している。なお、上述のようにＲＦＩＤ２０には識別情報が記憶されており、ＲＦＩＤリーダ３０はデータ信号に含まれる該識別情報を取得することにより、識別情報読取装置として機能する。
【００２１】
このＲＦＩＤリーダ３０は人間に携行され、様々な人やものに取り付けられたＲＦＩＤ２０のうち、電波の送受信が可能なものから、その識別情報を取得する。これにより、ＲＦＩＤリーダ３０は、電波の送受信が可能なＲＦＩＤ２０を認識する。
【００２２】
サーバ装置４０は、携帯電話システムや無線ＬＡＮシステムなどの移動体通信システムを経由してＲＦＩＤリーダ３０と接続される。また、サーバ装置４０はＲＦＩＤリーダ３０やその他の装置（不図示）に提供するための情報（以下、提供情報と称する。）をＲＦＩＤ２０の識別情報と対応付けて記憶している。ＲＦＩＤリーダ３０は、サーバ装置４０に対して提供情報を読み出すための読出信号を送信し、この読出信号を受信したサーバ装置４０は、記憶しているものの中から該読出信号に応じた提供情報を選出し、ＲＦＩＤリーダ３０に送信する。
【００２３】
ＲＦＩＤリーダ３０は、こうして送信された提供情報を受信し、ユーザに対して提供する。
【００２４】
本実施の形態では、ユーザが外出する直前に、ＲＦＩＤリーダ３０が、ユーザの外出時に必要な提供情報（バス接近情報やセール品情報など）をサーバ装置４０から受信することができるようにする。まず、その概要について、図２を参照しながら説明する。同図に示すように、本実施形態では、ユーザの家にはＲＦＩＤ２０が複数取り付けられている。以下では、これら家に取り付けられたＲＦＩＤ２０を家ＩＤと称する。この家ＩＤは、ＲＦＩＤリーダ３０が家の中にある間、いずれかを認識するように配置されている。ＲＦＩＤリーダ３０は、これら複数の家ＩＤ（家ＩＤ群）のうちいずれかが認識されているときは、ユーザが家の中にいると判断する。
【００２５】
ユーザは、家から外出するとき、ＲＦＩＤリーダ３０とともに、いくつかのＲＦＩＤ２０を身に着ける。ＲＦＩＤリーダ３０は、ユーザが外出時に身に着けるＲＦＩＤ２０（以下、外出ＩＤと称する。）を決定し、その識別情報を記憶する。こうして記憶された識別情報により識別される外出ＩＤが認識されると、ＲＦＩＤリーダ３０は、読出信号をサーバ装置４０に対して送信し、サーバ装置４０は読出信号に応じた提供情報を選出してＲＦＩＤリーダ３０に対し送信する。こうして、ＲＦＩＤリーダ３０は外出ＩＤの認識時に、該外出ＩＤに応じて、ユーザが外出時に必要とする提供情報を取得することができるようにしている。
【００２６】
以下、ＲＦＩＤリーダ３０の機能の詳細について説明する。図３はＲＦＩＤリーダ３０の機能ブロックを示す機能ブロック図である。
【００２７】
ＲＦＩＤリーダ３０は、図３に示されるように、機能的には制御部３１、記憶部３２、入出力部３３、ネットワーク通信部３４、ＲＦＩＤ通信部３５を含んで構成される。制御部３１は、識別情報取得部３１０、家ＩＤ特定部３１１、外出ＩＤ仮決定部３１２、外出時刻取得部３１３、外出ＩＤ決定部３１４、提供情報取得部３１５を含んで構成される。
【００２８】
制御部３１は、記憶部３２に記憶されるプログラムを実行するための処理ユニットを備え、ＲＦＩＤリーダ３０の各部を制御する。制御部３１の詳細については後述する。
【００２９】
記憶部３２は、本実施の形態を実施するためのプログラムを記憶している。また、制御部３１のワークメモリとしても動作する。また、記憶部３２は、各ＲＦＩＤ２０の識別情報と対応付けて、その種別を記憶する。
【００３０】
図４は、この具体的な例である。同図に示すように、種別には「家」「着用」「可搬」などがあり、それぞれユーザの家に設置されるＲＦＩＤ２０であること、ユーザが着用するＲＦＩＤ２０であること、持ち運び可能なＲＦＩＤ２０であること、を示している。
【００３１】
入出力部３３は、ＲＦＩＤリーダ３０のユーザとのヒューマンマシンインターフェイスである。具体的には、キーパッド、マイク、スピーカなどを使用することができる。制御部３１は、入出力部３３を介してユーザの入力を受け付けるとともに、ユーザに対して提供情報を提供する。
【００３２】
ネットワーク通信部３４はアンテナを含み、移動体通信システムにおける基地局装置と通信可能に構成される。制御部３１は、ネットワーク通信部３４を介してサーバ装置４０と通信を行い、読出信号の送信や提供情報の受信を行う。
【００３３】
ＲＦＩＤ通信部３５は、ＲＦＩＤ２０に対して電波を送信することにより、該ＲＦＩＤ２０に記憶されるデータを読み取る。そして、読み取ったデータを制御部３１に対して出力する。
【００３４】
以下、制御部３１の機能の詳細について説明する。ＲＦＩＤリーダ３０を人間が携行する場合、ＲＦＩＤ通信部３５はその人がいる場所の近傍（ＲＦＩＤ通信部３５とＲＦＩＤ２０との間で電波の送受信ができる範囲）にあるＲＦＩＤ２０に記憶されるデータを定期的に読み取る。あるＲＦＩＤ２０を人間が着用すれば、ＲＦＩＤリーダ３０によりそのＲＦＩＤ２０に記憶されるデータは読み取られることになる。ＲＦＩＤ通信部３５は、こうして読み取ったデータを識別情報取得部３１０に対して出力する。
【００３５】
識別情報取得部３１０は、入力されたデータから、各ＲＦＩＤ２０の識別情報を取得する。これにより、識別情報取得部３１０は、複数のＲＦＩＤ２０のうち、電波の送受信が可能なものを認識する。識別情報取得部３１０は、認識したＲＦＩＤ２０の識別情報を、外出ＩＤ仮決定部３１２、外出時刻取得部３１３、及び提供情報取得部３１５に出力する。
【００３６】
家ＩＤ特定部３１１は、記憶部３２にその識別情報が記憶される複数のＲＦＩＤ２０のうち、所定エリアに設置されたＲＦＩＤ２０を特定する。本実施形態では、この所定エリアはユーザの家であるとしている。家ＩＤ特定部３１１は、記憶部３２においてその種別が「家」であると記憶されるＲＦＩＤ２０を、家ＩＤとして特定する。
【００３７】
外出ＩＤ仮決定部３１２は、識別情報取得部３１０が、上記家ＩＤとして特定されるＲＦＩＤ２０を認識している場合に他のＲＦＩＤ２０を認識した場合、該ＲＦＩＤ２０を示す識別情報を、その認識された時刻とともに、後述する外出ＩＤ仮記憶テーブルに記憶させる。
【００３８】
具体的には、外出ＩＤ仮決定部３１２は、識別情報取得部３１０から入力されている識別情報の中に、家ＩＤとして特定されるＲＦＩＤ２０の識別情報が含まれているか否かを判断する。含まれていた場合、外出ＩＤ仮決定部３１２は、そのとき認識されているＲＦＩＤ２０のうち、記憶部３２においてその種別が「着用」又は「可搬」であるとして記憶されるＲＦＩＤ２０を選択し、そのＲＦＩＤ２０が識別情報取得部３１０において認識された時刻（認識時刻）とともに、外出ＩＤ仮記憶テーブルに書き込む。
【００３９】
図５は、外出ＩＤ仮記憶テーブルの例を示す図である。外出ＩＤ仮記憶テーブルは記憶部３２に記憶されており、図５に示すように識別情報と認識時刻とを対応付けて記憶する。外出ＩＤ仮決定部３１２は、この外出ＩＤ仮記憶テーブルに、上記選択したＲＦＩＤ２０の識別情報を、その認識時刻とともに記憶する。
【００４０】
外出時刻取得部３１３は、識別情報取得部３１０が、上記家ＩＤとして特定されるＲＦＩＤ２０を認識しているか否かを監視する。そして、ある時点においてそれまで認識されていた家ＩＤが認識されなくなったことを認識した場合、その時刻を取得し、外出時刻とする。
【００４１】
外出ＩＤ決定部３１４は、外出時刻取得部３１３により上記家ＩＤとして特定されるＲＦＩＤ２０が認識されなくなったことが認識された場合に、外出ＩＤ仮記憶テーブルに記憶される認識時刻に基づいて、外出ＩＤ仮記憶テーブルに記憶される識別情報により識別されるＲＦＩＤ２０のうち、外出ＩＤとして取り扱うＲＦＩＤ２０を決定する。
【００４２】
より具体的には、外出ＩＤ決定部３１４は、外出ＩＤ仮記憶テーブルに記憶される識別情報のうち、上記外出時刻と、その認識時刻と、の差（以下、差分時間と称する。）が所定の外出判定閾値以下であるものにより識別されるＲＦＩＤ２０を、外出ＩＤとして取り扱うことに決定する。
【００４３】
なお、この外出判定閾値は家ＩＤごとに記憶される。図４には、その例が示されている。同図に示すように、記憶部３２は、家ＩＤごとに外出判定閾値を記憶している。外出ＩＤ決定部３１４は、現に認識していた家ＩＤ（記憶部３２に家ＩＤとして記憶されるＲＦＩＤ３０のうち、最後まで認識していたもの）についての外出判定閾値を使用して、上記決定を行う。
【００４４】
以下、図４及び図５を参照しながら、具体的な例を挙げて説明する。外出時刻が８：３９：０３であったとすると、ＩＤ−Ｅについての差分時間は８分３８秒、ＩＤ−Ｆについての差分時間は３分１３秒となる。また、この直前まで認識されていた家ＩＤがＩＤ−Ａであったとすると、外出判定閾値は５分である。
【００４５】
ＩＤ−Ｅについての差分時間は外出判定閾値を超えているので、外出ＩＤ決定部３１４は、ＩＤ−Ｅを外出ＩＤとしない。一方、ＩＤ−Ｆについての差分時間は外出判定閾値を下回っているので、外出ＩＤ決定部３１４は、ＩＤ−Ｆを外出ＩＤとして決定する。
【００４６】
外出ＩＤ決定部３１４は、このようにして決定した外出ＩＤを、以下に示す外出ＩＤ記憶テーブルに記憶させる。
【００４７】
図６は、外出ＩＤ記憶テーブルの例を示す図である。外出ＩＤ記憶テーブルは記憶部３２に記憶されており、図６に示すように家ＩＤの識別情報と外出ＩＤの識別情報と差分時間とを対応付けて記憶する。外出ＩＤ決定部３１４は、この外出ＩＤ記憶テーブルに、上記決定した外出ＩＤを、該外出ＩＤについての差分時間及び上記外出ＩＤ決定に用いた外出判定閾値に対応する家ＩＤとともに記憶する。
【００４８】
提供情報取得部３１５は、識別情報取得部３１０が、上記外出ＩＤ記憶テーブルに外出ＩＤとして記憶されるＲＦＩＤ２０を認識した場合に、該ＲＦＩＤ２０に応じた読出信号を生成し（例えば、ある特定のＲＦＩＤ２０を認識したときには、バス接近情報を取得するための読出信号を生成するようにする。）、サーバ装置４０に対して送信する。これを受信したサーバ装置４０は、該識別情報に対応付けて記憶している提供情報をＲＦＩＤリーダ３０に対して送信する。こうして、提供情報取得部３１５は外出ＩＤに応じた提供情報を取得し、入出力部３３を介してユーザに提供する。
【００４９】
ところで、制御部３１は、外出ＩＤ決定部３１４による外出ＩＤ決定の状況に基づき、上記外出判定閾値を更新することが好ましい。すなわち、制御部３１は、より適切に外出ＩＤの決定が可能となるよう、上記外出ＩＤ決定処理に際して算出した各ＲＦＩＤ２０についての差分時間に基づき、上記外出判定閾値を更新することが好ましい。以下、この点について説明する。
【００５０】
制御部３１は、家ＩＤごとに外出判定閾値の更新を行う。また、制御部３１は、外出ＩＤ決定部３１４による上記一連の処理が行われた後、該外出ＩＤ決定に用いた外出判定閾値について更新を行う。
【００５１】
まず、外出ＩＤ記憶テーブルに外出ＩＤが１又は複数記憶されている場合、制御部３１は、各外出ＩＤについて記憶される差分時間のうち最小のものに基づいて、外出判定閾値を更新する。より具体的には、制御部３１は、外出判定閾値を、この最小のものより、所定量だけ大きい値に設定する。そして、制御部３１は新たな外出判定閾値と各外出ＩＤについての差分時間とを比較し、差分時間が新たな外出判定閾値を上回っている外出ＩＤについては、外出ＩＤ記憶テーブルから削除する。これにより、制御部３１は、外出ＩＤとして最も適切な１つを決定することができるようになる。
【００５２】
次に、外出ＩＤ記憶テーブルに外出ＩＤが記憶されていない場合、制御部３１は、外出ＩＤ仮記憶テーブルに記憶される各ＲＦＩＤ２０について、その認識時刻と、外出時刻と、に基づいて上記処理により算出された差分時間を取得する。そして、制御部３１は、そのうち最小のものに基づいて、外出判定閾値を更新する。より具体的には、制御部３１は、最小のものに所定値を加えたものを外出判定閾値とする。なお、この所定値も、好ましくは、最小の差分時間にこれを加えてなる時間が、他の差分時間以上となることがない程度の値である。これにより、例えば外出判定閾値が短すぎて外出ＩＤが決定できなかった場合であっても、制御部３１は適切に外出ＩＤを決定することができるようになる。
【００５３】
以上説明したＲＦＩＤリーダ３０の処理を、処理のフロー図を参照しながらより詳細に説明する。
【００５４】
図７は、ＲＦＩＤリーダ３０による外出ＩＤ決定処理の処理フロー図である。まず、ＲＦＩＤリーダ３０は、家ＩＤが認識されているか否かを判断する（Ｓ１）。家ＩＤが認識されていなければ、ＲＦＩＤリーダ３０は外出ＩＤ決定処理を終了する。一方、家ＩＤが認識されていれば、外出ＩＤ仮記憶処理を行う（Ｓ２）。
【００５５】
ここで、外出ＩＤ仮記憶処理について説明する。図８は、外出ＩＤ仮記憶処理の処理フロー図である。ＲＦＩＤリーダ３０は認識されているＲＦＩＤ２０全てについて（Ｓ２１，Ｓ２４）、その識別情報が「着用」又は「可搬」として記憶されているか否かを判断し（Ｓ２２）、「着用」又は「可搬」として記憶されているものを、その認識時刻とともに外出ＩＤ仮記憶テーブルに記憶する（Ｓ２３）。このとき、既に登録済みのものについては記憶しないことが好適である。
【００５６】
次に、ＲＦＩＤリーダ３０は外出ＩＤ仮記憶テーブルに記憶される全てのＲＦＩＤ２０について（Ｓ２５，Ｓ２８）、現に認識されているか否かを判断し（Ｓ２６）、認識されていないものを外出ＩＤ仮記憶テーブルから削除する（Ｓ２７）。
【００５７】
外出ＩＤ仮記憶処理は以上のようにして行われる。
【００５８】
ＲＦＩＤリーダ３０は、家ＩＤが認識されている間外出ＩＤ仮記憶処理を行い、認識されなくなった場合に、以下の処理を開始する（Ｓ３）。すなわち、ＲＦＩＤリーダ３０は認識されなくなった時刻を外出時刻として取得する（Ｓ４）。
【００５９】
次に、ＲＦＩＤリーダ３０は、外出ＩＤ仮記憶テーブルに記憶される全てのＲＦＩＤ２０について以下の処理を行う（Ｓ５，Ｓ９）。すなわち、外出時刻と認識時刻の差を算出し、差分時間とする（Ｓ６）。ＲＦＩＤリーダ３０は、この差分時間が外出判定閾値を下回っているか否かを判断し（Ｓ７）、下回っている場合に、認識されていた家ＩＤと対応付けて、該ＲＦＩＤ２０を外出ＩＤとして外出ＩＤ記憶テーブルに記憶する（Ｓ８）。上回っている場合には、Ｓ８の処理は行われない。
【００６０】
上記処理が終了すると、ＲＦＩＤリーダ３０は、認識されていた家ＩＤについての外出ＩＤが増加したか否かを判断し（Ｓ１０）、増加している場合にはその処理を終了する。一方、増加していない場合には、外出判定閾値更新処理を行う（Ｓ１１）。
【００６１】
図９は、外出判定閾値（Ｔｔとする。）更新処理の処理フロー図である。まずＲＦＩＤリーダ３０は、認識されていた家ＩＤについて、外出ＩＤが記憶されているか否かを判断する（Ｓ１１１）。記憶されていなければ、外出ＩＤ仮記憶テーブルに記憶される各ＲＦＩＤ２０のそれぞれについてＳ６で算出した差分時間のうち、最も小さいもの（Ｔａとする。）を取得し、Ｔｔ＝Ｔａ＋αの計算を行うことにより、外出判定閾値を更新する（Ｓ１１２）。このαは所定値であり、一例としては、上記Ｔａにαを加えてなる時間が、他の差分時間以上となることがない程度の値である。
【００６２】
外出ＩＤが記憶されている場合には、ＲＦＩＤリーダ３０は、各外出ＩＤに対応付けて記憶される差分時間のうち最も小さいもの（Ｔｂとする。）を取得する（Ｓ１１３）。そして、取得したＴｂが外出判定閾値Ｔｔ以上であれば、Ｔｔ＝Ｔｔ−（Ｔｔ−Ｔｂ）×βの計算を行うことにより、外出判定閾値を更新する（Ｓ１１５）。これにより、ＲＦＩＤリーダ３０は、Ｔｂより（１−β）×（Ｔｔ−Ｔｂ）だけ大きい値に外出判定閾値を設定している。一方、取得したＴｂが外出判定閾値Ｔｔ未満であれば、Ｔｔ＝Ｔｂ＋γの計算を行うことにより、外出判定閾値を更新する（Ｓ１１６）。これによっても、ＲＦＩＤリーダ３０は、Ｔｂよりγだけ大きい値に外出判定閾値を設定している。
【００６３】
以上説明したようにすることにより、ＲＦＩＤリーダ３０は、外出の直前に認識されたＲＦＩＤ２０を外出ＩＤとして記憶することができ、以降、ＲＦＩＤリーダ３０は、この外出ＩＤを媒介として、これからユーザが家などの所定エリアから外に出ようとすることを認識することができるようになる。そして、外出直前に、外出してから必要となる提供情報（例えばバス接近情報やセール品情報など）を取得することができるようになる。
【００６４】
また、ＲＦＩＤリーダ３０は、ホームスペースごとに外出判定閾値を変更することができるので、家やオフィスなど、それぞれホームスペースの事情に鑑みた適切な外出ＩＤの決定ができるようになる。
【図面の簡単な説明】
【００６５】
【図１】本発明の実施の形態に係るＲＦＩＤシステムのシステム構成を示す図である。
【図２】本発明の実施の形態に係る外出ＩＤ決定処理の説明図である。
【図３】本発明の実施の形態に係るＲＦＩＤリーダの機能ブロックを示す図である。
【図４】本発明の実施の形態に係るＲＦＩＤ種別記憶テーブルを示す図である。
【図５】本発明の実施の形態に係る外出ＩＤ仮記憶テーブルを示す図である。
【図６】本発明の実施の形態に係る外出ＩＤ記憶テーブルを示す図である。
【図７】本発明の実施の形態に係る外出ＩＤ決定処理の処理フローを示す図である。
【図８】本発明の実施の形態に係る外出ＩＤ仮記憶処理の処理フローを示す図である。
【図９】本発明の実施の形態に係る外出判定閾値更新処理の処理フローを示す図である。
【符号の説明】
【００６６】
１０  ＲＦＩＤシステム、２０  ＲＦＩＤ、３０  ＲＦＩＤリーダ、３１  制御部、３２  記憶部、３３  入出力部、３４  ネットワーク通信部、３５  ＲＦＩＤ通信部、４０  サーバ装置、３１０  識別情報取得部、３１１  家ＩＤ特定部、３１２  外出ＩＤ仮決定部、３１３  外出時刻取得部、３１４  外出ＩＤ決定部、３１５  提供情報取得部。
【図１】
0004847099.tif 000002
【図２】
0004847099.tif 000003
【図３】
0004847099.tif 000004
【図４】
0004847099.tif 000005
【図５】
0004847099.tif 000006
【図６】
0004847099.tif 000007
【図７】
0004847099.tif 000008
【図８】
0004847099.tif 000009
【図９】
0004847099.tif 000010